(57)【要約】      （修正有）【課題】本考案は開運方位盤を空気吐出装置に付加し、使用者が風水によって幸運を得ることができるようにする。【解決手段】開運方位盤を空気吐出装置の上平面に埋め込む形を取り、同盤を回転させて装置自体の方位を確定させる。その上で、陰陽五行の思想に基づいて使用者の風水を確定し、吉方位から空気を吸入し、かつ吉方位へ空気を吐出させる。また、使用者が吉となる色を陰陽五行による五色の中から選び、同じ色の装置または盤を使用する。【選択図】図１
0003105860.tif 000002
【実用新案登録請求の範囲】
【請求項１】
東洋の根本思想である陰陽五行思想に基づいた「風水」の概念をもとに、吉方位からの空気の吸入または吉方位への空気の吐出を可能とした開運方位盤付空気吐出装置。
【請求項２】
東洋の根本思想である陰陽五行思想に基づいた青、朱、黄、白、黒の五色を用いた請求項１記載の開運方位盤付空気吐出装置。
【考案の詳細な説明】
【技術分野】
【０００１】  本考案は、東洋の根本思想である陰陽五行思想に基づいた開運方位盤付空気吐出装置に関するものである。
【背景技術】
【０００２】  従来、送風機、エアコン、空気清浄機などの空気吐出装置に設けられた空気吸入口および空気吐出口の向きは、陰陽五行の思想によらず、単に空気の浄化、イオンの発生、湿度の調整など化学的、物理的な要因や経済性を考慮して設置場所等の都合により決定していた。従って、空気吸入口および空気吐出口の方向は陰陽五行の思想とは無関係に決められていた。また、装置の外装色に関しても同様に陰陽五行の思想を取り入れるという概念がなかった。
【考案が解決しようとする課題】
【０００３】  本考案は、上記の事実を考慮し、陰陽五行思想に基づいて空気を吉方から吸入、または吉方へ吐出をすることを可能とした開運方位盤付空気吐出装置を得ることを目的とする。同時に同装置の外装色に関しても陰陽五行の思想を取り入れることとする。
【課題を解決するための手段】
【０００４】  人間を含む生物の生年月日、製造物の製造年月日又は使用年月日、団体の設立年月日をそれぞれ東洋思想の根本である陰陽五行思想によって形及び色に表現し、表現された形および色に基づいて前記生物、製造物、団体の風水を決める。風水とは、東洋地理学的環境アセスメントである。
空気清浄機などのいわゆる「空気吐出装置」において、外部から空気を取り入れ、空気を外へ出す際に、風水の概念を適用して吉方から吸入または吉方位へ吐出し、この流れにより、ゆう気を取り入れ幸運を招き入れる。そのために、これらの装置には開運方位盤を組み込んで、装置自体の正確な方位を特定させることが可能となる。
また、請求項２にある色に関しても、上記風水の概念により、使用者にとって吉となる色を、陰陽五行の五色の中から選択して使用することにより、幸運を招き入れることができる。陰陽五行の五色とは、青、朱、黄、白、黒である。
本考案に定める吉方は、男女差があり、この点は「時憲暦」「陽宅大全」「星平会海」に述べられている原理による。
【考案の効果】
【０００５】  風水の概念を、空気吐出装置に組み入れることにより、空気を吸入する口、または空気を吐出する口を、使用者にとって陰陽五行にマッチした全体運として最も吉となる方角に設定し、流体の流れる方向により、ゆう気を取り入れ、幸運を招き入れることができる。ただし、吉方位は恋愛運、金銭運、事業運など個別の運勢としてみる場合は、これと異なる場合がある。また、同装置の外装色についても、風水により使用者にとって陰陽五行で最も吉となる色を選択して使用することにより、より多く幸運を招き入れることができる。
【考案を実施するための形態】
【０００６】  図１には、本考案が適用された開運方位盤１（以下、盤という）と空気吐出装置３（以下、装置という）が示されている。盤はほぼ円盤形で、円の中央には磁石２があり、上部表面は透明でできている。この盤は装置の上平面真ん中に埋め込む形をとり、盤の外周を水平に回すことにより盤自体を回転させることができる。
図２に示すように、（イ）装置を設置したときに、この盤１を回転させて、その装置からみた正確な方位を確定させる。具体的には、磁石２の磁針（赤）の指す方向が真北となるように合わせる。盤には、八方位（東、西、南、北、東南、西南、東北、西北）が記されているが、これにより装置の中心から見た実際の方位と盤上に記されている方位が一致する。
（ロ）盤上の八方位は、中心からの角度を４５°ごとに罫線で仕切られているが、一方で装置（以下、図３）においても、上平面の中心から４５°刻みで罫線が引かれている１Ａ。もし、（イ）で確定した盤の罫線と装置の罫線とが一致しない場合は、装置側を若干回転させて合わせることとする。その結果、装置側の中心角４５°の８本の罫線間の方位が、盤上に記されている通りの八方位となる。
（ハ）装置には、側面部に八方位それぞれに空気の吸入口７または吐出口５が用意されている。また、各口の開放および閉鎖は、吸入口は吸入口回転リング６、吐出口は吐出口回転リング４をそれぞれ回転させることにより、使用者が自由に選択できる。例えば、今月の吉方が東南である場合、東南の口のみを開口して、他の口を閉鎖することにより、流体は陰陽五行に合った吉方から流れ、または吉方へ流れることになり、幸運を得ることができる。
（ニ）設置場所や設置スペースの関係で、吐出口の位置を固定せざるを得ないような場合には、吸入口のみ吉方に設定しても、風水の効果はある。
（ホ）本考案を適用する空気吐出装置は、八方位からの空気吸入または八方位への空気吐出の機能を持っているが、それ以外は従来のものと変わらず、内蔵するカートリッジやイオン発生器などの制限はない。大きさは大型のものから卓上タイプまで考えられる。電源は、交流１００Ｖ、直流アダプタータイプ、電池内蔵タイプなどがある。
（ヘ）風水において吉方位を決める場合、年単位、あるいは月単位で決める。生年月日を基準にするが、男女により異なる。この点は「時憲暦」「陽宅大全」「星平会海」に述べられている原理による。
（ト）また、上記装置または盤における外装色に関しても、風水の概念を適用させ、使用者にとって吉となる色を、陰陽五行の五色の中から選択して使用することにより、さらなる幸運を招き入れることができる。陰陽五行の五色とは、青、朱、黄、白、黒である。
（チ）上記装置の形状は、必ずしも円柱とは限らず、多角柱などでも構わない。また、吸入口および吐出口は、リングを回転させる構造以外に、八方位それぞれで個別に吸入口、吐出口を開口、閉鎖する構造でもよい。さらに、吸入口および吐出口の大きさについては、装置自体の機能、性能的な面を重視し制限は持たないが、各口の中心部が、装置の中心からみてどの方角になるかを明確に示すことができる必要がある。
【図面の簡単な説明】
【０００７】
【図１】開運方位盤付空気吐出装置の全体斜視図
【図２】開運方位盤の平面図
【図３】空気吐出装置の平面図
【符号の説明】
【０００８】１    開運方位盤
１Ａ  開運方位盤用受け皿（溝）
２    磁石
３    空気吐出装置
４    吐出口回転リング
５    吐出口
６    吸入口回転リング
７    吸入口
８    モーター、フィルター、イオン発生器、電源部など
【図１】
0003105860.tif 000003
【図２】
0003105860.tif 000004
【図３】
0003105860.tif 000005